(57)【特許請求の範囲】
【請求項１】
天板と、天板の下面を支持するとともに脚体に支持される天板支持アームとを有するデスクであって、
前記天板支持アームの下縁の一部を天板下面側へ凹ませることにより使用者に把持させるための持ち手部を設けてなることを特徴とするデスク。
【請求項２】
前記持ち手部が、天板の側縁部近傍に位置付けられている請求項１記載のデスク。
【請求項３】
前記持ち手部の周囲を隆起させて形成した隆起部を設けている請求項１または２記載のデスク。
【請求項４】
前記天板支持アームが天板に取付けられるアーム本体と、このアーム本体を下方から被覆するカバーとを有するものであり、このカバーに前記持ち手部を形成している請求項１、２または３記載のデスク。
【請求項５】
前記アーム本体の基端部と前記脚体の上端部とを接続させ、前記カバーがこのアーム本体と前記脚体との接続箇所の少なくとも一部を隠蔽し得る接続部隠蔽部を有している請求項４記載のデスク。
【請求項６】
前記接続部隠蔽部が、前記アーム本体の表面と脚体との表面とに連続する湾曲形状をなす請求項５記載のデスク。
【請求項７】
前記アーム本体が水平壁を天板に密着させこの水平壁の両側から対をなす立壁を下方に垂下させた断面視コの字状のものであり、
前記カバーが、前記立壁の内側面に密着または近接する添設壁と、前記アーム本体を下方から被覆する被覆板とを有している請求項４、５または６記載のデスク。
【発明の詳細な説明】
【技術分野】
【０００１】
本発明は、学校やオフィス等で好適に利用されるデスクに関するものである。
【背景技術】
【０００２】
従来、学校やオフィスにおいて、使用者が容易に移動させることができるデスクが種々提案されている(例えば、特許文献１参照)。このようなデスクは、特に学校等の教育機関においては、いわゆる講義机として、好適に用いられている。これらのデスクを主に使用する学生等は、授業や作業の状況や形態に応じて、これらデスクを所望の位置へ持ち運んで使用する事が多い。そのため、これらのデスクは近年、使用者の容易な持ち運びに供するよう、これまで以上に軽量化が図られてきているのが現状である。
【０００３】
しかしこれまで学校等で用いられてきたデスクにあっては、持ち運ぶ際に掴んだ位置によっては使用者の予想よりも大きな負担が掛かってしまうという場合もあった。つまり、上述のようにデスクを軽量化したとしても、使用者にとっての運搬のし易さには必ずしも直結していないということになる。
【先行技術文献】
【特許文献】
【０００４】
【特許文献１】実用新案登録第３１１４５８５号公報
【発明の概要】
【発明が解決しようとする課題】
【０００５】
本発明は、上述した点に着目したものであり、使用者にとっての持ち運びのし易さを有効に向上させたデスクを提供することを目的としている。
【課題を解決するための手段】
【０００６】
本発明は、このような目的を達成するために、次のような手段を講じたものである。
【０００７】
すなわち本発明に係るデスクは、天板と、天板の下面を支持するとともに下方から脚体に支持される天板支持アームとを有するデスクであって、前記天板支持アームの下縁の一部を天板下面側へ凹ませることにより使用者に把持させるための持ち手部を設けてなることを特徴とする。
【０００８】
このようなものであれば、使用者がデスクを手で持ち上げるなどして移動させる際には、自然と持ち手部を掴むよう促されることとなる。そのため、使用者はそれぞれ異なった箇所を掴んで様々な姿勢で運搬や移動を行なうということを有効に回避し、どのデスクも同じ体制で運ぶよう促されることになる。その結果、運搬や移動を行なう作業を安定して行ない得るものとなる。
【０００９】
使用者が天板の上側から手を回わすことで、簡単に持つことができる具体的な態様としては、持ち手部を、天板の側縁部近傍に位置付けておくことが望ましい。
【００１０】
加えて、持ち手部の周囲を隆起させて形成した隆起部を設けておけば、使用者は持ち手部を直接見なくとも、手探りでも持ち手部を容易に認識することができる。
【００１１】
また、デスクとしての強度と持ち手部の持ちやすさとを有効に両立させるためには、天板支持アームが天板に取付けられるアーム本体と、このアーム本体を下方から被覆するカバーとを有するものとし、このカバーに持ち手部を形成することが望ましい。
【００１２】
そして、デスクの前記アーム本体の基端部と前記脚体の上端部とを接続させているものである場合、アーム本体と脚支柱との接続箇所がアーム本体の基端部に現れるが、カバーが、このアーム本体と前記脚支柱との接続箇所の少なくとも一部を隠蔽し得る接続部隠蔽部を有しているものとすれば、接続箇所の設計を容易にすることができる。また、見栄えを良くするための後加工処理を簡便化することができる。
【００１３】
特にこの接続部隠蔽部を、アーム本体の表面と脚体との表面とに連続する湾曲形状をなすものとすれば、持ち手部を持とうとする場合に脚支柱からも持ち手部へスムーズに手を案内することができるとともに、脚支柱と天板支持アームとの見た目上の一体感を惹起することができる。
【００１４】
アーム本体に対するカバーの取付強度を有効に向上させるための具体的な構成として、アーム本体を水平壁を天板に密着させこの水平壁の両側から対をなす立壁を下方に垂下させた断面視コの字状のものとし、カバーを、立壁の内側面に密着または近接する添設壁と、アーム本体を下方から被覆する被覆板とを有するものとすることが望ましい。
【発明の効果】
【００１５】
本発明によれば、使用者がデスクを手で持ち上げるなどして移動させる際には、自然と持ち手部を掴むよう促されることとなる。その結果、運搬や移動を行なう作業を安定して行ない得るデスクを提供することができる。
【図面の簡単な説明】
【００１６】
【図１】本発明の一実施形態に係るデスクの斜視図。
【図２】同実施形態に係る背面図。
【図３】同正面図。
【図４】同側面図。
【図５】同実施形態に係る要部の外観図。
【図６】同構成説明図。
【図７】同実施形態に係る他の構成説明図。
【図８】同実施形態に係る要部の外観図。
【図９】同構成説明図。
【図１０】同上。
【図１１】同実施形態に係る作用説明図。
【発明を実施するための形態】
【００１７】
以下、本発明の一実施の形態について図面を参照して説明する。
【００１８】
本実施形態に係る家具であるデスク１は、例えば大学をはじめとする教育機関や施設に好適に利用されるものである。特に教育機関では、いわゆる「講義机」として利用されるものである。
【００１９】
デスク１は、天板支持アーム５に天板４を支持させてなる家具本体たるデスク本体２と、この天板支持アーム５を支持している脚体３とを有するものである。この脚体３は、天板支持アーム５に溶接継手であるアーム接続部７１を介して剛結されることにより当該天板支持アーム５を支持している脚支柱７と、脚支柱７の下端側で、同じく溶接継手であるアーム接続部７２を介して剛結することで当該脚支柱７の起立状態を維持するための脚ベース８とを有している。脚支柱７は、金属製のパイプ材からなり、その断面視形状は前後方向に長い略楕円形状をなしている。本実施形態では、脚支柱７の上端部において天板支持アーム５の基端部（小口）を脚支柱７の表面側から当接させアーム接続部７１を介して接続している。天板支持アーム５と脚支柱７とは鈍角をなすように接続される。また、天板支持アーム５と脚支柱７は互いに異なる断面形状を成している。
【００２０】
また本実施形態では図２に一部示すように、脚支柱７間に架設される幕板９の形状をスチール板タイプの通常のものから、軽量な半透明の樹脂製幕板９ａとを交換し得るものとなっている。また図示しないが、当該デスク１は、これら天板４、脚体３並びに幕板９の色を適宜選択することにより、このデスク１を導入する空間の色合いに応じたデスク１として、空間全体としての見た目の統一感を持たせ得るものとなっている。
【００２１】
ここで、本実施形態に係るデスク１は、天板支持アーム５の下縁の一部を天板下面側へ凹ませることにより使用者に把持させるための持ち手部５６を設けてなることを特徴としているものである。
【００２２】
以下、斯かるデスク１の構成について、図１ないし図１１を参照して具体的に説明する。
【００２３】
天板４は、図１ないし図４に示すように、本実施形態では一人の使用者が使用するに足る寸法をなす矩形状のものとし、裏（下）面側において側縁４ｂに沿って、一対の天板支持アーム５を取付けるためのアーム取付部４１とこのアーム取付部４１間には天板４の下方に使用者の荷物を収納するための荷物収納棚６を取付けるための棚取付部４２とを形成したものとしている。当該天板４はまた、上面並びに側面側を汚れが付着し難くなるような、図示しない表面加工を施したものとなっている。
【００２４】
天板支持アーム５は、天板４の両方の側縁１ｂ近傍に、アーム取付部４１を介して例えばねじ止めにより取付けられたものである。そして天板支持アーム５は、天板４に直接取付けられるアーム本体５０と、このアーム本体５０を下方から被覆するカバーたるアームカバー５１と、アーム本体５０に取付けられ、天板支持アーム５下方に使用者の鞄等を懸吊・保持するためのフック５２とを有している。
【００２５】
フック５２は、本実施形態では例えば半透明の樹脂素材からなるものを、アーム本体５０のフック取付部５４にねじ止めされてなるものである。勿論、当該フック５２の具体的な形状並びに材質は、既存の種々のものを適用し得るので、本実施形態では具体的な説明を省略するものとする。
【００２６】
アーム本体５０は、例えば板金材の折り曲げによってなる断面視コの字状のもので、天板４の裏面に密着する水平壁５０ａと、この水平壁５０ａの両端から垂下した対をなす立壁５０ｂとを主体としたものであり、脚支柱７に溶接されている基端側の一部に立壁５０ｂを上方に若干寸法凹ませた凹部５０ｃを形成しているとともに、先端縁は下端から傾斜させながら水平壁５０ａに連続するように構成している。そしてこのアーム本体５０は、水平壁５０ａにねじを挿通させるための開口を設けることによってなる天板取付部５３と、内側の立壁５０ｂにおける前後方向中間部分に複数のねじ孔を設けることによりこれらねじ孔にフック５２を固定するためのフック取付部５４と、両方の立壁５０ｂを利用してアームカバー５１を固定するためのカバー取付部５５とを有している。このカバー取付部５５は凹部５０ｃを構成する立壁５０ｂをそれぞれ２箇所ずつ計４箇所開口させた取付孔５５１からなるものであり、アームカバー５１に設けられた後述する取付突起５９を受け入れることで、アームカバー５１を確実に位置決めする。
【００２７】
アームカバー５１は、アーム本体５０の立壁５０ｂの内側面にそれぞれ密着または近接する添設壁５１ａと、アーム本体５０を下方から被覆する被覆板５１ｂとを有した構成をなしており、この対をなす添設壁５１ａがアームの立壁５０ｂ間に位置することにより、アームカバー５１のアーム本体５０に対する幅方向でのがたつき無い取付けを実現している。そしてアームカバー５１の先端部では添設壁５１ａを連結する連結リブ５１ｃが形成されている。またこの連結リブ５１ｃは、被覆板５１ｂの先端部から一定距離を経て複数（本実施形態では２箇所）形成されている。これにより、アームカバー５１は半透明の樹脂素材を用いてはいても、当該アームカバー５１を取付けた状態では先端縁５０ｄ側からのぞき込んでも天板取付部５３、フック５２取付部に供されるねじ等が視認視得ずに好適に隠蔽されるものとなっている。
【００２８】
そしてこのアームカバー５１は、基端側において他の箇所よりも上方へ、つまりの天板４に近くなるように凹ませて形成されている持ち手部５６と、持ち手部５６の周囲を隆起させて形成した隆起部５７と、持ち手部５６よりもさらに基端側に形成された接続部隠蔽部たる湾曲隠蔽部５８と、持ち手部５６の内側に４箇所において形成された内方へ突出させた取付突起５９とを有している。隆起部５７は、持ち手部５６の周囲、具体的には持ち手部５６の側方並びに先端側の樹脂すなわち被覆板５１ｂの部分を隆起させることにより、この隆起部５７に囲まれた箇所を使用者に容易に認識させ得るようにしている。湾曲隠蔽部５８は、溶接継手であるアーム接続部７１の特に隅部を隠蔽しながら、脚支柱７の上端側とアーム本体５０の基端側をカバーするものであり、脚支柱７の表面に密着した端部から湾曲させながらアーム本体５０に密着させる形状をとるものである。これにより、アームカバー５１を取付けた状態では天板支持アーム５と脚支柱７とが滑らかに連続する外形をなすように形成される。
【００２９】
しかして本実施形態に係るデスク１は、アームカバー５１の被覆板５１ｂを一部上方へ凹ませることにより持ち手部５６を構成している。この持ち手部５６は、天板４下方における両方の側縁１ｂ且つ反使用端近傍にそれぞれ形成される。そのため、使用者が持ち手部５６を持つ場合には、天板４の上方から手を回し、掌の部分を天板４の上面に置いた状態から下方に指を伸ばして、親指以外の四指で持ち手部５６を掴むことができる。こうすることで使用者は手全体を利用して天板４及び持ち手部５６を強く把持することができる。加えて持ち手部５６の表面は使用者の指が滑らないように、間欠的に形成されたドット状に樹脂が隆起する滑り止め５６１を形成している。
【００３０】
そしてこのデスク１の場合、デスク本体２を脚体３が天板４の側面視反使用縁１ａ寄りの位置から側面視Ｌ字状の脚体３が接続するため、天板支持アーム５を持った場合にはその前後方向の重心が反使用縁１ａ側に大きく偏ることになる。そこで本実施形態に係る持ち手部５６は、天板４の両側且つ前後方向の重心に合致する位置に形成されている。これにより、持ち手部５６をそれぞれ両手で掴んだ使用者がデスク１を持ち上げる場合、バランスが殆どくずれず、言い換えれば殆どふらつかずにデスク１を持ち上げることができる。
【００３１】
他方、脚体３を構成する脚支柱７は、上端部において天板支持アーム５に溶接により接続されるアーム接続部７１を形成するとともに、下端において同じく脚体３を構成する脚ベース８にベース接続部７２を介して溶接により一体的に接続される。そして下端部下面側には例えば樹脂製の接地板７３を取付けることにより、床面を傷つけることなく設置し得るものである。本実施形態では、脚支柱７の下端部において脚ベース８の基端部（小口）を脚支柱７の表面側から当接させアーム接続部７２を介して接続している。脚ベース８と脚支柱７とは鋭角を成すように接続される。また、脚ベース８と脚支柱７とは互いに異なる断面形状を成している。
【００３２】
脚ベース８は、脚支柱７に一体的に接続されたベース本体８０と、このベース本体８０と、このベース本体８０の上面を着脱可能に被覆し得るカバーすなわちベースカバー８１と、ベース本体８０の先端縁にねじ止めされ床面に接地する接地部たるアジャスタ８２とを有している。
【００３３】
ベース本体８０は、板金材を適宜折り曲げることによって概略筒状に形成されたもので、断面視縦長の蒲鉾状を成している。詳細には、上面を板金の曲げによって構成された湾曲面８０ａとするとともに、湾曲面８０ａの両端縁を鋭角に折り曲げた端部同士を溶接することで、断面視逆Ｖ字状をなす下面８０ｂを形成している。そしてベース本体８０は筒状であるため、先端縁８０ｃはこれら湾曲面８０ａ及び下面８０ｂの端面がそのまま現れるように形成されている。一方先端面８０ｃと略等しい相似断面形状を有する基端縁は、上記の通りアーム接続部７２を介して脚支柱７に表面側から溶接される。そして、ベース本体８０の上面には、若干基端よりの計四箇所を開口させることによりカバー取付部８３を形成するとともに、先端縁８０ｃ近傍の下面８０ｂには、板ナットを溶接することにより形成されたアジャスタ取付部８４を設けている。
【００３４】
ベースカバー８１は、例えば上記のアームカバー５１と同じ素材からなる、断面視概略Ｕ字状をなす例えば半透明の樹脂製のものである。このベースカバー８１は、基端側おいて表面を上方へ延出させてベース取付部を隠蔽する接続部隠蔽部たる湾曲隠蔽部８５と、湾曲隠蔽部８５近傍から長手方向中間部において内面側に四箇所で突出する取付突起８６と、長手方向略全域に亘ってベース本体８０の下端よりも上側をカバーすることにより、樹脂の下端部でベース本体８０上面から段状に形成する下向き段部８７と、滑らかに湾曲させた表面形状をなし、ベース本体８０の先端縁を被覆・隠蔽する先端隠蔽部８８と、先端隠蔽部８８の中央から突出させた樹脂に設けた開口であり、アジャスタ８２の取付軸８２２を収容させ得る軸収容孔８９とを有している。湾曲隠蔽部８５は、溶接継手であるベース接続部７２の特に隅部を隠蔽しながら、脚支柱７の下端側とベース本体８０の基端側をカバーするものであり、脚支柱７の表面に密着した端部から湾曲させながらベース本体８０に密着させる形状をとるものである。これにより、ベースカバー８１を取付けた状態では脚ベース８と脚支柱７とが滑らかに連続する外形をなすように形成される。取付突起８６は、上記カバー取付部８３に両側から嵌ることにより、ベースカバー８１をベース本体８０に対して位置決めするものである。下向き段部８７は、ベース本体８０の表面とともにカバーの下端部を段状に位置付けることにより、ベースカバー８１の交換等の取り外しの際には当該下向き段部８７の何れの位置からもベースカバー８１を取り外し得るものとなっている。先端隠蔽部８８は、上述のとおり表面側では滑らかな部分球形状をなすとともに内側では先端縁８０ｃを収容し得る端面収容部８８１とＶ地面８８２とを有している。そして軸収容孔８９は、アジャスタ８２の取付軸を収容した状態では当該取付軸８２２に干渉され、ベース本体８０の長手方向への移動が禁止されるように設定されているものである。
【００３５】
しかして本実施形態では、ベース本体８０の上面が前記脚支柱７から斜め下方向に延びるものであり、脚ベース８が、前記ベース本体８０に対して所定の取付位置に位置決めする第１の係合部たるカバー取付部８３並びに取付突起８６と、当該カバー取付部８３に位置決めされたベースカバー８１の斜め下方向への抜脱を禁止し得る第２の係合部である軸収容孔８９及び取付軸８２２とを有している。
【００３６】
すなわち、図９ないし図１１に示すように、本実施形態ではベースカバー８１をベース本体８０に取付ける際、まずベースカバー８１の基端側を若干上昇させた角度から、ベース本体８０の先端縁を先端隠蔽部８８の端面収容部に収容させる、しかる後、図１１に示すように、ベースカバー８１の基端側を下方に押し付けることにより第１の係合部を係合させる。そしてさらにアジャスタ８２の接地板を上方へねじ回しすることにより、取付軸８２２を上方へ移動させ、先端を軸収容孔８９へ収容させる。また併せて、ベース本体８０のＶ字状をなす下面８０ｂの上方からＶ字面８８２が当接することにより、ベースカバー８１は上下方向に確実に位置決めされる。
【００３７】
以上のような構成とすることにより、本実施形態に係るデスク１は、上述したような持ち手部５６を設けることにより、使用者がデスク１を手で持ち上げるなどして移動させようとする際には、自然と持ち手部５６を掴むよう促されることとなるので、使用者はそれぞれ異なった箇所を掴んで様々な姿勢で運搬や移動を行なうということを有効に回避し、どのデスク１も同じ体制で運ぶよう促されることになる。その結果、運搬や移動を行なう作業を安定して行ない得るものとなる。
【００３８】
特に本実施形態では、持ち手部５６をデスク１の前後方向重心に持ち手部５６を位置付けているので、持ち上げたデスク１が安定し、その結果、省力的な持ち運びが実現される。
【００３９】
また、持ち上げた際に使用者の手の位置がずれ難く安定して持ちやすい持ち手部５６の具体的な構成として本実施形態では、持ち手部５６の表面を天板支持アーム５の他の箇所よりも天板４に近くなるように上方へ凹ませて形成している。
【００４０】
そして本実施形態では、使用者が天板４の上側から手を回わすことで、簡単に持つことができるように、持ち手部５６を、天板４の側縁部近傍に位置付けている。
【００４１】
加えて本実施形態では、持ち手部５６の周囲を隆起させて形成した隆起部５７を設けていることにより、使用者は持ち手部５６を直接見なくとも、手探りでも持ち手部５６を容易に認識することができる。
【００４２】
また、デスク１としての強度と持ち手部５６の持ちやすさとを有効に両立させるために本実施形態では、天板支持アーム５が天板４に取付けられるアーム本体５０と、このアーム本体５０を下方から被覆するアームカバー５１とを有するものとし、このアームカバー５１に持ち手部５６を形成している。
【００４３】
特に本実施形態では、角が形成されることにより埃が溜まりやすく掃除が行ない難い接続箇所であるアーム接続部７１の特に隅部を湾曲隠蔽部５８が隠蔽することで、接続箇所が汚れることを有効に回避している。
【００４４】
特にこの湾曲隠蔽部５８により、アーム本体５０の表面と脚支柱７との表面とに連続する湾曲形状をなして連続するので、持ち手部５６を持とうとする場合に脚支柱７からも持ち手部５６へスムーズに案内し得るとともに、脚支柱７と天板支持アーム５との見た目上の一体感も惹起している。そして、アーム本体５０に対するアームカバー５１の取付強度を有効に向上させるために本実施形態では、アーム本体５０を水平壁５０ａを天板４に密着させこの水平壁５０ａの両側から対をなす立壁５０ｂを下方に垂下させた断面視コの字状のものとし、アームカバー５１を、立壁５０ｂの内側面に密着または近接する添設壁５１ａと、アーム本体５０を下方から被覆する被覆板５１ｂとを有するものとしている。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記実施形態ではデスクとして、講義机として用いられるものに本発明を適用した態様を開示したが、勿論、例えば幅寸法を上記よりも大きく設定することにより、複数の使用者が並んで使用し得るデスクに本発明を適用しても良い。また、上記実施形態では持ち手部を天板の側縁よりの位置に設定したが勿論、天板の反使用端側に持ち手部を設けたものとしてもよい。さらには、カバーを用いることなく、天板支持アームを適宜凹ませることのみによって持ち手部を形成下ものであっても良い。その他、カバーの形状やアーム本体とカバーとの係り合いの態様といった具体的な態様は上記実施形態のものに限定されることはなく、既存のものを含め、種々の態様のものを適用することができる。
【産業上の利用可能性】
【００４７】
本発明は学校やオフィス等で好適に利用されるデスクとして利用することができる。
【符号の説明】
【００４８】
１…デスク
４…天板
５…天板支持アーム
５０…アーム本体
５０ａ…水平壁
５０ｂ…立壁
５１…カバー（アームカバー）
５１ａ…添設壁
５１ｂ…被覆板
５６…持ち手部
５７…隆起部
５８…接続部隠蔽部（湾曲隠蔽部）
【図１】
0005625174.tif 000002
【図２】
0005625174.tif 000003
【図３】
0005625174.tif 000004
【図４】
0005625174.tif 000005
【図５】
0005625174.tif 000006
【図６】
0005625174.tif 000007
【図７】
0005625174.tif 000008
【図８】
0005625174.tif 000009
【図９】
0005625174.tif 000010
【図１０】
0005625174.tif 000011
【図１１】
0005625174.tif 000012